(57)【特許請求の範囲】
【請求項１】
吸引ポンプであって：
ポンプ室（５２）、前記ポンプ室への吸込ポート（６８，７０）及び前記ポンプ室からの排出ポート（７８）を有するポンプケース（３６）であって、前記吸込ポート及び前記排出ポートは互いに離隔されるもの；
前記ポンプ室内で回転するように設けられたロータ（５４）であって、前記ロータは前記ポンプ室（５２）内に前記吸込ポート及び前記排出ポートの間に位置する流体移送セクション（８８）を規定するよう位置するもの；及び
前記ロータ（５４）から延びるように取り付けられた複数の離隔された羽根（５８）であって、隣接する各羽根の対は前記ポンプ室内で流体キャビティ（９６）を規定し、前記羽根は前記ロータの回転中に複数の流体キャビティ（９６ｃ、９６ｄ）が周期的に前記ポンプ室（５２）の前記流体移送セクション（８８）内に完全に位置するように構成されるもの；を有する吸引ポンプにおいて、
前記ポンプケース（３６）は、前記排出ポート（７８）から前記ポンプ室（５２）の前記流体移送セクションに向けて延びるブリードダクト（１０２）と、前記ブリードダクトと前記第一流体移送セクション（９６ｃ）との間を流体で連通する少なくとも一つの第一ブリードポート（１０４）と、前記ブリードダクトと前記第二流体移送セクション（９６ｄ）との間を流体で連通する少なくとも一つの第二ブリードポート（１０６）とを規定するように形成され、
前記第一ブリードポート（１０４）は前記第一流体移送セクション（９６ｃ）に、前記第二ブリードポート（１０６）は前記第二流体移送セクション（９６ｄ）に、それぞれ常に開放され、前記排出ポート（７８）から排出された流体は、前記第一ブリードポート（１０４）を通り前記第一流体移送セクション（９６ｃ）に、また、前記第二ブリードポート（１０６）を通り前記第二流体移送セクション（９６ｄ）に、それぞれの流れが失われることなく継続して戻されることを特徴とする吸引ポンプ。
【請求項２】
吸引ポンプであって：
ポンプ室（５２）、前記ポンプ室への吸込ポート（６８，７０）及び前記ポンプ室からの排出ポート（７８）を有するポンプケース（３６）であって、前記吸込ポート及び前記排出ポートは互いに離隔されるもの；
前記ポンプ室内で回転するように設けられたロータ（５４）であって、前記ロータは前記ポンプ室（５２）内に前記吸込ポート及び前記排出ポートの間に位置する流体移送セクション（８８）を規定するよう位置するもの；及び
前記ロータ（５４）から延びるように取り付けられた複数の離隔された羽根（５８）であって、隣接する各羽根の対は前記ポンプ室内で流体キャビティ（９６）を規定し、前記羽根は前記ロータの回転中に複数の流体キャビティ（９６ｃ、９６ｄ）が周期的に前記ポンプ室（５２）の前記流体移送セクション（８８）内に完全に位置するように構成されるもの；を有する吸引ポンプにおいて、
前記ポンプケース（３６）は、前記排出ポート（７８）から前記ポンプ室（５２）の前記流体移送セクションに向けて延びるブリードダクト（１０２）と、前記ブリードダクトと前記第一流体移送セクション（９６ｃ）との間を流体で連通する少なくとも一つの第一ブリードポート（１０４）と、前記ブリードダクトと前記第二流体移送セクション（９６ｄ）との間を流体で連通する少なくとも一つの第二ブリードポート（１０６）とを規定するように形成され、
前記ブリードポート（１０４，１０６）は異なる断面積を有するよう形成されることを特徴とする吸引ポンプ。
【請求項３】
請求項１に記載の吸引ポンプであって、前記ポンプケース（３６）は、前記ポンプ室（５２）が少なくとも一つの部分的に偏心した湾曲セクション（９０，９２）を有するよう形成されることを特徴とする吸引ポンプ。
【請求項４】
請求項１に記載の吸引ポンプであって、前記ポンプケース（３６）はボア（４８）を有するよう形成され；ライナー（５０）が前記ボアに設けられ、前記ライナーは前記ポンプ室を規定する外表面（５１）及び内表面（５２）を有することを特徴とする吸引ポンプ。
【請求項５】
請求項４に記載の吸引ポンプであって、前記ライナー（５０）の前記内表面は前記ポンプ室（５２）が少なくとも一つの部分的に偏心した湾曲セクション（９０，９２）を有するように形成されることを特徴とする吸引ポンプ。
【請求項６】
吸引ポンプであって：
ポンプ室（５２）、前記ポンプ室への吸込ポート（６８，７０）及び前記ポンプ室からの排出ポート（７８）を有するポンプケース（３６）であって、前記吸込ポート及び前記排出ポートは互いに離隔されるもの；
前記ポンプ室内で回転するように設けられたロータ（５４）であって、前記ロータは前記ポンプ室（５２）内に前記吸込ポート及び前記排出ポートの間に位置する流体移送セクション（８８）を規定するよう位置するもの；及び
前記ロータ（５４）から延びるように取り付けられた複数の離隔された羽根（５８）であって、隣接する各羽根の対は前記ポンプ室内で流体キャビティ（９６）を規定し、前記羽根は前記ロータの回転中に複数の流体キャビティ（９６ｃ、９６ｄ）が周期的に前記ポンプ室（５２）の前記流体移送セクション（８８）内に完全に位置するように構成されるもの；を有する吸引ポンプにおいて、
前記ポンプケース（３６）は、前記排出ポート（７８）から前記ポンプ室（５２）の前記流体移送セクションに向けて延びるブリードダクト（１０２）と、前記ブリードダクトと前記第一流体移送セクション（９６ｃ）との間を流体で連通する少なくとも一つの第一ブリードポート（１０４）と、前記ブリードダクトと前記第二流体移送セクション（９６ｄ）との間を流体で連通する少なくとも一つの第二ブリードポート（１０６）とを規定するように形成されるとともに、ボア（４８）を有するよう形成され；ライナー（５０）が前記ボアに設けられ、前記ライナーは前記ポンプ室を規定する外表面（５１）及び内表面（５２）を有し、
前記ライナー（５０）は、前記ポンプ室（５２）への前記吸込ポートを規定する前記外表面（５１）から前記内表面への第一開口部（６８）と、前記ポンプ室からの前記排出ポートを規定する前記外表面から前記内表面への第二開口部（７８）と、前記第二開口部から延びて前記ブリードダクト（１０２）を規定する前記外表面内の内向き段付セクションとを有し、前記ブリードポート（１０４）は前記外表面の前記内向き段付セクションから前記内表面に延びるように前記ライナー中に形成されることを特徴とする吸引ポンプ。
【請求項７】
吸引ポンプであって：
ポンプケースであって、吸込ポート及び排出ポートを有するポンプ室を規定するもの；
前記ポンプ室内で回転するように設けられたロータであって、前記ロータ及び前記ポンプケースは前記ポンプ室内に前記吸込ポート及び前記排出ポートの間に位置する流体移送セクションを規定するもの；及び
前記ポンプ室内で回転する複数の流体キャビティを自身の間に規定するよう離隔して前記ロータに取り付けられた複数の羽根であって、前記各流体キャビティの容積は前記ポンプ室内における前記流体キャビティの位置によって規定され、前記各流体キャビティは前記吸込ポートから前記流体移送セクションを経由して前記排出ポートへ回され、前記各流体キャビティは前記流体移送セクション内において前記吸込ポート及び前記排出ポートから隔離され、前記ロータの回転中周期的に少なくとも二つの前記流体キャビティが前記流体移送セクション内に完全に位置するもの；を有する吸引ポンプにおいて、
前記ポンプケースは、前記排出ポートから前記ポンプ室の前記流体移送セクションへ延びる流路を有し、前記流路は第一流体キャビティに面した前記流体移送セクションの一部に常に開放される少なくとも一つの第一ブリードポートと、第二流体キャビティに面した前記流体移送セクションの一部に常に開放されかつ前記第一ブリードポートとは別に離隔された少なくとも一つの第二ブリードポートを有するように形成され、
前記排出ポートから排出された流体は、前記第一ブリードポートを通り前記第一流体キャビティに、また、前記第二ブリードポートを通り前記第二流体キャビティに、それぞれの流れが失われることなく継続して戻されることを特徴とする吸引ポンプ。
【請求項８】
請求項７に記載の吸引ポンプであって、前記ポンプケースはボアを有するよう形成され；ライナーが前記ボアに設けられ、前記ライナーは前記ボアを規定する前記ポンプケースの内壁に隣接して位置する外表面、前記ポンプ室を規定する内表面、前記ポンプケースの吸込ポートから前記ポンプ室まで延びる吸込口、及び前記ポンプ室から前記ポンプケースの排出ポートまで延びる排出口を有するように形成されることを特徴とする吸引ポンプ。
【請求項９】
吸引ポンプであって：
ポンプケースであって、吸込ポート及び排出ポートを有するポンプ室を規定するもの；
前記ポンプ室内で回転するように設けられたロータであって、前記ロータ及び前記ポンプケースは前記ポンプ室内に前記吸込ポート及び前記排出ポートの間に位置する流体移送セクションを規定するもの；及び
前記ポンプ室内で回転する複数の流体キャビティを自身の間に規定するよう離隔して前記ロータに取り付けられた複数の羽根であって、前記各流体キャビティの容積は前記ポンプ室内における前記流体キャビティの位置によって規定され、前記各流体キャビティは前記吸込ポートから前記流体移送セクションを経由して前記排出ポートへ回され、前記各流体キャビティは前記流体移送セクション内において前記吸込ポート及び前記排出ポートから隔離され、前記ロータの回転中周期的に少なくとも二つの前記流体キャビティが前記流体移送セクション内に完全に位置するもの；を有する吸引ポンプにおいて、
前記ポンプケースは、前記排出ポートから前記ポンプ室の前記流体移送セクションへ延びる流路を有し、前記流路は第一流体キャビティに面した前記流体移送セクションの一部に開放される少なくとも一つの第一ブリードポートと、第二流体キャビティに面した前記流体移送セクションの一部に開放されかつ前記第一ブリードポートとは別に離隔された少なくとも一つの第二ブリードポートを有するように形成されるとともに、ボアを有するよう形成され；ライナーが前記ボアに設けられ、前記ライナーは前記ボアを規定する前記ポンプケースの内壁に隣接して位置する外表面、前記ポンプ室を規定する内表面、前記ポンプケースの吸込ポートから前記ポンプ室まで延びる吸込口、及び前記ポンプ室から前記ポンプケースの排出ポートまで延びる排出口を有するように形成され、
前記ライナーの前記外表面は前記ライナー排出口から延びて前記流路を規定する内向き段付セクションとを有することを特徴とする吸引ポンプ。
【請求項１０】
吸引ポンプであって：
ポンプケースであって、吸込ポート及び排出ポートを有するポンプ室を規定するもの；
前記ポンプ室内で回転するように設けられたロータであって、前記ロータ及び前記ポンプケースは前記ポンプ室内に前記吸込ポート及び前記排出ポートの間に位置する流体移送セクションを規定するもの；及び
前記ポンプ室内で回転する複数の流体キャビティを自身の間に規定するよう離隔して前記ロータに取り付けられた複数の羽根であって、前記各流体キャビティの容積は前記ポンプ室内における前記流体キャビティの位置によって規定され、前記各流体キャビティは前記吸込ポートから前記流体移送セクションを経由して前記排出ポートへ回され、前記各流体キャビティは前記流体移送セクション内において前記吸込ポート及び前記排出ポートから隔離され、前記ロータの回転中周期的に少なくとも二つの前記流体キャビティが前記流体移送セクション内に完全に位置するもの；を有する吸引ポンプにおいて、
前記ポンプケースは、前記排出ポートから前記ポンプ室の前記流体移送セクションへ延びる流路を有し、前記流路は第一流体キャビティに面した前記流体移送セクションの一部に開放される少なくとも一つの第一ブリードポートと、第二流体キャビティに面した前記流体移送セクションの一部に開放されかつ前記第一ブリードポートとは別に離隔された少なくとも一つの第二ブリードポートを有するように形成され、
前記ブリードポートは前記第一流体キャビティに開放されるものと前記第二流体キャビティに開放されるものとが異なる断面積を有するように形成されることを特徴とする吸引ポンプ。
【請求項１１】
吸引ポンプであって、
ボア、前記ボアへの吸込ポートと、前記ボアからの排出ポートとを有するポンプケース（３６）であって、前記吸込ポートと前記排出ポートは互いに離隔して位置するものと、
前記ポンプケースのボア（４８）に配されるライナー（５０）であって、前記ポンプケースのボアを規定するポンプケースの内壁に隣接する外表面（５１）と、前記ライナーにより完全に囲まれたポンプ室（５２）を規定する内表面と、前記ポンプケースの吸込ポートから前記ポンプ室まで延びる少なくとも一つの吸込口、及び前記ポンプ室から前記ポンプケースの排出ポートまで延びる少なくとも一つの排出口とを有するものと、
ポンプ室（５２）内で回転するよう配されるロータ（５４）であって、前記ロータは前記ポンプ室内に前記吸込口（６８）と前記排出口（７８）との間に位置する流体移送セクション（８８）を前記ポンプ室内に規定するように位置するものと、
前記ロータ（５４）に取り付けられてロータから延びる複数の離隔された羽根（５８）であって、各羽根の隣り合う対は前記ポンプ室内で流体キャビティ（９６）を規定し、前記羽根は、前記ロータの回転中に少なくとも一つの流体キャビティ（９６ｃ）が前記ポンプ室（５２）の前記流体移送セクション（８８）中で周期的に完全に位置するようにされているものとを有する吸引ポンプにおいて、
前記ライナー（５０）は前記外表面（５１）内に前記排出口（７８）から前記吸込口に向けて延びる幅を有する形状のブリードダクト（１０２）を規定する内側段付セクションと、前記ブリードダクトから前記ライナーを介して延びて前記ブリードダクトと前記ポンプ内の前記流体移送セクション内に位置する流体キャビティ（９６ｃ）とを流体によって連通する少なくとも一つの第一ブリードポート（１０４）とを有し、前記ブリードポートは前記ブリードダクトに囲まれ前記ブリードダクトの幅より狭い直径を有して形成されることを特徴とする吸引ポンプ。
【請求項１２】
請求項１１に記載の吸引ポンプであって、複数の流体キャビティが周期的に前記ポンプ室の前記流体移送セクション内に完全に位置されるよう前記ロータから複数の羽根が延び；複数の前記ブリードポートは前記ライナー内において、少なくとも一つの第一ブリードポートが第一流体キャビティに面する前記流体移送セクションの一部に開放され、かつ少なくとも一つの第二プリードポートが第二流体キャビティに面する前記流体移送セクションの一部に開放されるように形成されることを特徴とする吸引ポンプ。
【請求項１３】
請求項１１に記載の吸引ポンプであって、複数のブリードポートが前記ブリードダクトから前記ライナーを通り前記ポンプ室の前記流体移送セクションに延びることを特徴とする吸引ポンプ。
【請求項１４】
請求項１１に記載の吸引ポンプであって、前記ライナーの前記内表面は前記ポンプ室が少なくとも部分的に偏心した湾曲形状を有するように形成されることを特徴とする吸引ポンプ。
【請求項１５】
貯蔵タンク（２４）から液体燃料を分配するための分配装置であって、
前記貯蔵タンク（２４）に接続された吸引ポンプ（２２）であって、前記貯蔵タンクと流体で連通する吸込ポート（６８）及び前記吸込ポートから離隔された排出ポート（７８）とを有するポンプ室（５２）を規定するポンプケース（３６）と、前記ポンプ室内を回転して前記吸込ポートから前記排出ポートに回転する複数の流体キャビティ（９６ａ，９６ｂ，９６ｃ，９６ｄ）を規定する複数の羽根（５８）を有する前記ポンプ室（５２）内に配されたロータアセンブリ（５４）とを有し、前記ポンプケースは前記ポンプ室内に前記吸込ポートと前記排出ポートの間に位置する流体移送セクションが存在するような形状とされ、前記ポンプケース及び前記ロータアセンブリは、複数の流体キャビティ（９６ｃ、９６ｄ）が前記吸込ポート（６８）及び前記排出ポート（７８）との間に位置する流体移送セクション（８８）に周期的かつ同時に位置し前記吸込ポート及び前記排出ポートから隔離されるように集合的に形成されるものと、
前記排出ポート（７８）と流体により連通する可撓性ホース（３２）を有する分配装置において、
前記排出ポート（７８）と前記流体移送セクション（８８）の間にブリード流路（１０２）が接続され、前記ブリード流路は、第一の流体キャビティ（９６ｃ）との間を流体で連通する少なくとも一つの第一ブリードポート（１０４）と、前記第一ブリードポートと分離して離隔され前記流体移送セクションで第二の前記流体キャビティ（９６ｄ）の間を流体で連通する少なくとも一つの第二ブリードポート（１０６）とを有し、
前記第一ブリードポート（１０４）は前記第一の流体キャビティ（９６ｃ）に、前記第二ブリードポート（１０６）は前記第二の流体キャビティ（９６ｄ）に、それぞれ常に開放され、前記排出ポート（７８）から排出された流体は、前記第一ブリードポート（１０４）を通り前記第一の流体キャビティ（９６ｃ）に、また、前記第二ブリードポート（１０６）を通り前記第二流体キャビティ（９６ｄ）に、それぞれの流れが失われることなく継続して戻されることを特徴とする分配装置。
【請求項１６】
請求項１５に記載の分配装置であって、前記ブリード流路（１０２）は前記ポンプケース（３６）の中に形成されていることを特徴とする分配装置。
【請求項１７】
請求項１５に記載の分配装置であって、前記吸引ポンプの前記ポンプケース（３６）はボア（４８）を有して形成され、ライナー（５０）が前記ボアに取り付けられ、前記ライナーは前記ボアを規定する前記ポンプケースの内壁に隣接して位置する外表面、前記ポンプ室（５２）を規定する内表面、前記ポンプケースの吸込ポートから前記ポンプ室に延びる吸込口、及び前記ポンプ室から前記ポンプケースの排出ポートに延びる排出口とを有することを特徴とする分配装置。
【請求項１８】
貯蔵タンク（２４）から液体燃料を分配するための分配装置であって、
前記貯蔵タンク（２４）に接続された吸引ポンプ（２２）であって、前記貯蔵タンクと流体で連通する吸込ポート（６８）及び前記吸込ポートから離隔された排出ポート（７８）とを有するポンプ室（５２）を規定するポンプケース（３６）と、前記ポンプ室内を回転して前記吸込ポートから前記排出ポートに回転する複数の流体キャビティ（９６ａ，９６ｂ，９６ｃ，９６ｄ）を規定する複数の羽根（５８）を有する前記ポンプ室（５２）内に配されたロータアセンブリ（５４）とを有し、前記ポンプケースは前記ポンプ室内に前記吸込ポートと前記排出ポートの間に位置する流体移送セクションが存在するような形状とされ、前記ポンプケース及び前記ロータアセンブリは、複数の流体キャビティ（９６ｃ、９６ｄ）が前記吸込ポート（６８）及び前記排出ポート（７８）との間に位置する流体移送セクション（８８）に周期的かつ同時に位置し前記吸込ポート及び前記排出ポートから隔離されるように集合的に形成されるものと、
前記排出ポート（７８）と流体により連通する可撓性ホース（３２）を有する分配装置において、
前記排出ポート（７８）と前記流体移送セクション（８８）の間にブリード流路（１０２）が接続され、前記ブリード流路は、第一の流体キャビティ（９６ｃ）との間を流体で連通する少なくとも一つの第一ブリードポート（１０４）と、前記第一ブリードポートと分離して離隔され前記流体移送セクションで第二の前記流体キャビティ（９６ｄ）の間を流体で連通する少なくとも一つの第二ブリードポート（１０６）とを有し、
前記吸引ポンプの前記ポンプケース（３６）はボア（４８）を有して形成され、ライナー（５０）が前記ボアに取り付けられ、前記ライナーは前記ボアを規定する前記ポンプケースの内壁に隣接して位置する外表面、前記ポンプ室（５２）を規定する内表面、前記ポンプケースの吸込ポートから前記ポンプ室に延びる吸込口、及び前記ポンプ室から前記ポンプケースの排出ポートに延びる排出口とを有し、
前記ライナーの前記外表面は前記ライナーの排出口から延びて前記ブリード流路を規定する内向き段付セクションを有することを特徴とする分配装置。
【請求項１９】
貯蔵タンク（２４）から液体燃料を分配するための分配装置であって、
前記貯蔵タンク（２４）に接続された吸引ポンプ（２２）であって、前記貯蔵タンクと流体で連通する吸込ポート（６８）及び前記吸込ポートから離隔された排出ポート（７８）とを有するポンプ室（５２）を規定するポンプケース（３６）と、前記ポンプ室内を回転して前記吸込ポートから前記排出ポートに回転する複数の流体キャビティ（９６ａ，９６ｂ，９６ｃ，９６ｄ）を規定する複数の羽根（５８）を有する前記ポンプ室（５２）内に配されたロータアセンブリ（５４）とを有し、前記ポンプケースは前記ポンプ室内に前記吸込ポートと前記排出ポートの間に位置する流体移送セクションが存在するような形状とされ、前記ポンプケース及び前記ロータアセンブリは、複数の流体キャビティ（９６ｃ、９６ｄ）が前記吸込ポート（６８）及び前記排出ポート（７８）との間に位置する流体移送セクション（８８）に周期的かつ同時に位置し前記吸込ポート及び前記排出ポートから隔離されるように集合的に形成されるものと、
前記排出ポート（７８）と流体により連通する可撓性ホース（３２）を有する分配装置において、
前記排出ポート（７８）と前記流体移送セクション（８８）の間にブリード流路（１０２）が接続され、前記ブリード流路は、第一の流体キャビティ（９６ｃ）との間を流体で連通する少なくとも一つの第一ブリードポート（１０４）と、前記第一ブリードポートと分離して離隔され前記流体移送セクションで第二の前記流体キャビティ（９６ｄ）の間を流体で連通する少なくとも一つの第二ブリードポート（１０６）とを有し、
前記ブリードポートは前記第一流体キャビティに開放されるものと前記第二流体キャビティに開放されるものとが異なる断面積を有するように形成されることを特徴とする分配装置。
【請求項２０】
液体を吸引吸い上げする方法であって：
ポンプ室（５２）を有するポンプ（２２）であって、そこを通って前記ポンプ室に液体が導かれる第一開口部（６８）と、そこを通って液体が前記ポンプ室から排出される前記第一開口部から離隔された第二開口部（７８）と、前記ポンプ室を通って動き、かつ相互に分離された複数の流体キャビティ（９６）とを有するものを設ける工程と、
前記流体キャビティが前記第一開口部（６８）に隣接したときに前記各流体キャビティに吸引力を発生させ前記流体キャビティに液体が導かれるようにする工程と、
内部の前記液体とともに前記各流体キャビティを前記第一開口部（６８）から前記第二開口部（７８）に動かす工程であって、前記移動の一部で、複数の前記流体キャビティは前記第一開口部及び前記第二開口部から隔離される工程と、
前記流体キャビティが前記第二開口部（７８）に隣接した時に、前記各流体キャビティを加圧して前記第二開口部を通じて液体を排出する工程と、
前記第一及び第二開口部から少なくとも二つの前記各流体キャビティが隔離された時に、ポンプ内で互いに離隔され、第一の流体キャビティ（９６ｃ）に常に開放された少なくとも一つの第一ブリードポート（１０４）と第二の流体キャビティ（９６ｄ）に常に開放された少なくとも一つの第二ブリードポート（１０６）とを通って前記第二開口部から前記流体キャビティに排出される前記液体の一部を戻す工程であって、前記第二開口部（７８）から前記第一ブリードポート（１０４）を通って前記第一流体キャビティに排出される液体の一部を、前記第二開口部（７８）から前記第二ブリードポート（１０６）を通って前記第二流体キャビティに排出される液体の一部を、それぞれの流れが失われることなく継続して戻す工程を有することを特徴とする液体を吸引吸い上げする方法。
【請求項２１】
液体を吸引吸い上げする方法であって：
ポンプ室（５２）を有するポンプ（２２）であって、そこを通って前記ポンプ室に液体が導かれる第一開口部（６８）と、そこを通って液体が前記ポンプ室から排出される前記第一開口部から離隔された第二開口部（７８）と、前記ポンプ室を通って動き、かつ相互に分離された複数の流体キャビティ（９６）とを有するものを設ける工程と、
前記流体キャビティが前記第一開口部（６８）に隣接したときに前記各流体キャビティに吸引力を発生させ前記流体キャビティに液体が導かれるようにする工程と、
内部の前記液体とともに前記各流体キャビティを前記第一開口部（６８）から前記第二開口部（７８）に動かす工程であって、前記移動の一部で、複数の前記流体キャビティは前記第一開口部及び前記第二開口部から隔離される工程と、
前記流体キャビティが前記第二開口部（７８）に隣接した時に、前記各流体キャビティを加圧して前記第二開口部を通じて液体を排出する工程と、
前記第一及び第二開口部から少なくとも二つの前記各流体キャビティが隔離された時に、ポンプ内で互いに離隔されたブリードポートを通って前記第二開口部から前記流体キャビティに排出される前記液体の一部を戻す工程であって、前記第二開口部（７８）から少なくとも一つの第二ブリードポート（１０６）を通って第二流体キャビティに排出される液体の一部を戻し、前記第二開口部（７８）から少なくとも一つの第一ブリードポート（１０４）を通って第一流体キャビティに排出される液体の一部を前記第二流体キャビティに戻される前記流体の圧力ヘッドと異なる圧力ヘッドで戻す工程を有することを特徴とする液体を吸引吸い上げする方法。
【発明の詳細な説明】
【０００１】
【発明の属する技術分野】
本発明は一般的には吸引ポンプに関し、より具体的には揮発性の液体を吸い上げるのに有用な低騒音吸引ポンプに関する。
【０００２】
【背景技術】
吸引ポンプは第一の場所から第二の場所に液体を移動させる多くのプロセスに用いられる。典型的な吸引ポンプはポンプ室を規定するポンプケースを含む。モータによって回転されるロータがこのポンプ室の中に設けられる。ロータ中には多くの羽根が設けられる。
【０００３】
ロータが回転すると、発生した遠心力によりこの羽根がポンプ室を規定するポンプ室の壁に向け外側に付勢される。ポンプ室の形状及びポンプ室内のロータの位置により、流体キャビティと呼ばれる羽根の間の隙間スペースに真空が生じる。各流体キャビティがポンプ室の吸込口に設けられているため、この真空が吸い上げられる液体の吸い込みヘッドとなる。
【０００４】
液体はこのようにして流体キャビティに導かれ、この流体キャビティと共に回転する。ロータが回転すると、ポンプ室の排出口に近づくにつれて流体キャビティのサイズが減少する。この流体キャビティのサイズの変化により、ポンプ室からポンプに接続された排出ラインを通じて液体が押し出される。
【０００５】
吸引ポンプが多く用いられる液体供給システムの具体例は、燃料分配装置である。典型的な燃料分配装置では、燃料（ガソリン、ディーゼル燃料、ケロシン、アルコール、液体プロパン、液体ブタン、その他の液体ガス及び揮発性の高いその他の液体燃料）が蓄えられる地下の貯蔵タンクから燃料を抜き出すように設計されている。
【０００６】
この分配装置は地上のホース−ノズルの半組み立て部品に燃料を押し出すポンプを有する。ポンプを通る流れはしばしばノズルによって制御される開閉弁によって規制される。また、分配される燃料の体積をモニターする流量計が設けられて、顧客が正確に提供された燃料の分だけ請求されるようにするために必要なデータを提供する。
【０００７】
吸引ポンプが燃料分配装置に用いられた場合、このポンプは貯蔵タンクから燃料を抜き出し下流の分配装置部品にそれを押し出す。貯蔵タンクからの供給ラインに燃料漏れが生じた場合、ポンプにより導かれる吸引力によって、燃料が流出するのを許す代わりに、空気をラインに引き入れる。このようにして、吸引ポンプを燃料分配装置に用いることは、好ましくない燃料漏れ及びそのような燃料漏れが引き起こす随伴する環境へのダメージを最小限に押さえることに役立つ。
【０００８】
【発明が解決しようとする課題】
吸引ポンプは、燃料分配装置などの多くのシステムで液体の流れを生じさせるのに有用な装置として働くが、これを使用することに伴っていくつかの問題点がある。多くの液体ポンプに関連する具体的問題点の一つは、それらが稼働しているときにかなりの量の騒音を生じることである。
【０００９】
この騒音は、液体が流体キャビティに入る時に、体積が膨張する機会を有することにより発生する。ある種の液体は部分的に気化する。その後、流体キャビティのサイズが減少したときに、液体は圧縮される。この圧縮により気化した液体のバブルが崩壊する。この蒸気バブルの崩壊（ポッピング(popping)）により相当量の騒音が生じることがある。この気化及びその後の液体の凝縮は、多くの燃料がそうであるように、液体が液体状態時に揮発性である場合に特に生じやすい。
【００１０】
燃料分配装置では、この吸引ポンプが分配装置のその他の構成要素の多くを含む地上のハウジング内に設けられる。したがって、操作中にポンプによって生じたこの騒音はこの分配装置を使用する個人により容易に聞こえることになる。燃料が比較的高い蒸気圧を有する場合には、騒音は比較的大きくなる。もし騒音が十分に大きい場合には、この装置を使用する人は心配になって、この分配装置が故障しているのではないかと思い込み燃料吸い上げを止める可能性がある。ある人がこのような作業を行った場合には、燃料分配プロセスを実行するのに要する全体の時間を相当程度長くすることとなる。
【００１１】
ポンプのロータの回転速度を落とすことによって吸引ポンプによって生ずる騒音量を最小限に使用とする試みはこれまでもいくつか行われてきた。この技術の問題点は、一定サイズのポンプでは、ポンプが液体を吸い上げる速度が減少する点である。このため、いくつかの液体分配装置では、液体吸い上げ効率が落ちたことを補うためにポンプのサイズを大きくする必要がある。
【００１２】
単に防音材をポンプの周囲に設けることで発生する騒音量を減らすその他の試みもなされている。この防音材はポンプの全体サイズを大きくすることになる。発生する騒音を最小限に押さえるために必要となるこれらの大きなポンプは、燃料分配ハウジングの内部のようなスペースが貴重な場所に設置するのは困難となる。
アメリカ特許番号４９２５３７２号は排出された液体がポンプ室にフィードバックされるポンプを開示する。これらのポンプはキャビテーションにより誘導されるバブルの圧縮により引き起こされる騒音を明確に減らすものではないと考えられる。
【００１３】
【課題を解決するための手段】
本発明は、操作に際して相当な量の騒音を発生しない改良型吸引ポンプに関する。本発明の吸引ポンプは多くの液体供給システムに使用可能であるが、特に揮発性燃料を供給する燃料分配装置に使用するのに適している。
【００１４】
【発明の実施の形態】
図１は本発明の吸引ポンプ２２を有する燃料分配装置２０を示す。液体燃料は地下の貯蔵タンク２４中に収められる。
分配装置２０は、ポンプ２２が入っている地上の分配ユニット２６中に収められる。燃料は貯蔵タンク２４から供給ライン２８を通じてポンプ２２に導かれる。燃料は、その後ポンプから流量計２８に排出され、その後自動車に供給するために可撓性(flexible)ホース３２を通じて排出される。
【００１５】
流量計３０は、自動車に供給された燃料の量の体積計測手段となる。この体積測定結果を表すデータ信号は流量計３０から演算処理装置３４に送られる。演算処理装置３４は供給された燃料の量及び顧客への請求額の双方を表示する。装置２０を通じての燃料フローはホース３２の自由端に取り付けられたノズル３３によりコントロールされる。
【００１６】
本発明の吸引ポンプ２２は、まず図２を参照して説明される。
ポンプ２２はその他のポンプ構成部材を収納するケース本体３６を有する。通常、ケース本体３６は、ポンプ２２のその他の構成要素を描画可能とするためにここに図示されていない面板によって密閉される。ケース本体３６は、供給ライン２８の延長部にあたる吸込ライン４０が接続される吸込室３８を規定するように形成される。
【００１７】
ケース本体３６には、開口部４２が設けられ、吸込ライン４０からの燃料が吸込室３８に流れ込むようになっている。図示されないものの、本発明の多くの好適な例では、開口部４２にストレーナが取り付けられ、異物が燃料と一緒に吸込室３８に入らないようになっている。吸込室３８はポンプ２２に流れ込む燃料の速度を落とすために設けられる。この速度低下は、ポンプ２２に必要な有効吸込ヘッドをできるだけ低く維持するのに好ましい。
【００１８】
描かれたケース本体３６は、吸込室３８へのバイパス開口部４４をも有する。バイパス開口部４４は空気分離器４６からの燃料がそこを通ってポンプに戻るポートである。本発明の一部ではないものの、空気分離器４６は燃料が流量計３０によって計量される前にポンプから排出された燃料流に混入した空気を燃料流から除去するのに用いられることが理解されるべきである。
【００１９】
図示しないバイパスバルブは、開口部４４を通る流れが室に向かう一方向のみかつ空気分離器を通る流れの吸込室３８中の圧力ヘッドが一定のレベルに達した時のみ生ずるようにするため、バイパス開口部４４を覆って取り付けられる(seated over)。
【００２０】
また、ケース本体３６は、ポンプ２２の実際の可動部品が収納される円形ボア４８を規定するように形成される。ボア４８は、吸込室３８と流体により連通し(in fluid communication with)ケース本体３６の重心基部(gravity-centered base)近傍に位置して、常時液体が満たされた状態での吸引(flooded suction all the time)を行うようにされている。
【００２１】
ライナー５０はボア４８の内部に取り付けられている。より具体的には、図３及び５を参照して簡略に説明すると、ライナー５０はボア４８を規定するケース本体の隣接表面に対して摺動可能に嵌合するように寸決めされた(dimensioned)外表面５１を有するように形成される。ライナー５０の内壁がポンプ室５２を規定する。
【００２２】
ポンプ室５２内にロータ５４が取り付けられる。ロータ５４は羽根５８が取り付けられるスロット５６を有して形成される。ロータはケース本体を覆って取り付けられる面板中の開口部を通じて延びる軸（図示せず）を有する。軸はロータを駆動するための原動力を与えるモータ（図示せず）に接続される。
【００２３】
図２に戻って、ケース本体３６はボア４８と流体により連通する排出ボア６０を有することが注目される。ポンプ２２によって排出された燃料は、排出ボア６０を通じて空気分離器４６に押し出される。本発明の図示されたバージョンでは、ケース本体３６は吸込室３８及びボア４８の上に配される空気分離室６２を有して形成される。
【００２４】
空気分離室６２は空気分離器４６の一部である。空気分離器の他の構成要素によって除かれた蒸気を含んだ空気は、ケース本体３６の開口部６４を通じて空気分離室６２に通される。この空気流中の蒸気は濃縮され、空気分離室６２の底面に落ちる。この濃縮された液体状の燃料は、空気分離室６２と吸込室３８とを分けるケース本体壁面の開口部６６を通じて吸込室３８に戻る。
通常、図示しないフロート弁が開口部６６を密封する。空気分離室６２に大量の燃料がある場合には、フロート弁が開いて吸込室３８に燃料を流入させる。
【００２５】
吸込ポンプ２２の実際の吸い上げユニットを構成する部品を図３，４及び５を更に参照して詳細に説明する。
ライナー５０は、あわせて吸込ポートを規定する二つの開口部６８及び開口部７０を吸込室３８とポンプ室５２との間に規定するように形成される。
【００２６】
ライナー５０の対向する平坦な端部に対して、二つの開口部６８はポンプ室５２への上及び下ポートを形成する。開口部６８はライナー５０と一体化したウェブ７２により分けられ、ウェブ７２に対して対称に形成される。開口部７０は開口部６８の間に位置し、二つのウェブ７４によって開口部６８と分けられる。
【００２７】
ポンプ室５２と排出ボア６０の間の排出ポートはライナー５０の二つの開口部７８及び開口部８０により形成される。開口部７８はウェブ８２により分けられ、ウェブ８２に対して対称に形成される。各開口部７８は開口部８０と、分かれたウェブ８４によって分けられる。ウェブ８４はそれぞれウェブ８２の自由端から延びる。
【００２８】
ライナー５０はポンプ室５２が偏心形状を有するように形成される。より具体的には、ライナー５０の内壁は、それぞれ吸込ポート及び排出ポートを規定するライナーの部分の間に延びる第一及び第二の実半径セクション(true radius sections)８６及び８８を有して形成される。実半径により、内壁のセクション８６及び８８は一定の半径の円形状を有する。
【００２９】
ライナー５０はさらに吸込開口部６８及び７０に面する内壁部分の周囲に位置する第一の偏心セクション９０を有するように構成される。排出開口部７８及び８０に面する内壁部分の周囲には第二の偏心セクション９２が配される。ライナー５０の内壁の偏心セクション９０及び９２はライナーの形状が湾曲し、曲率半径がそのセクションの円弧にそって変化するように構成される。その結果、第二の実半径セクション８８の曲率半径は第一の実半径セクションの曲率半径よりも大きいことに注意すべきである。
【００３０】
ロータ５４はポンプ室５２内に、第一の実半径セクション８６の曲がりの軸に軸方向に並ぶように取り付けられる。ロータ５４はライナー５０の第一の実半径セクション８６によって内接された直径よりもほんのわずかに小さな外径を有するように形成される。
【００３１】
第二の実半径セクション８８を規定するロータ５４の外表面及びライナー５０の内壁は、このように燃料が開口部６８及び７０から開口部７８及び８０に流れるポンプ室５２内の流体移送セクション(fluid transport section)９５を規定する。本発明の図示されたバージョンでは、この液体移動セクション９５は、ほぼ第二の実半径セクションに面し(subtended)、これにより規定される。
【００３２】
この関係は本発明の各バージョンにはなくても良い。ロータ５４はいくつかの羽根５８を有する。ロータ５４が回転すると、羽根５８はライナー５０の内壁に対して外側に付勢される。ポンプ室５２内の個別の羽根５８間スペースを流体キャビティ９６ａ、９６ｂ、９６ｃ．．．９６ｆとする。
【００３３】
本発明のポンプ２２では、ロータ５４は相当数の羽根５８を有し、少なくともひとつの流体キャビティが完全に流体移送セクション９５内にあることとなる。本発明の図示されたバージョンでは、流体キャビティ９６ａ及び９６ｂがライナー５０の第一偏心セクション９０に面し(subtended)、このセクションを通じて燃料がポンプ室５２に開口部６８及び７０を介して導かれる。
【００３４】
流体キャビティ９６ｃ及び９６ｄは流体移送セクション９５に面する。すなわち、流体キャビティ９６ｃ及び９６ｄに描かれるように、ロータ５４の回転の間、各流体キャビティは瞬間的にポンプ室５２への吸込ポート及び排出ポートの双方から隔離される。流体キャビティ９６ｅ及び９６ｆはライナーの第二偏心セクション９２に対し、このセクションを通じて流体が開口部８０及び８２に排出される。
【００３５】
ライナー５０は開口部７８からライナーの内壁の実半径セクションを規定するライナー部分まで延びるブリードダクト１０２を規定するよう形成される。二つのブリードポート１０４及び１０６がブリードダクト１０２からライナーの内壁を通じて燃料が移動するポンプ室の部分に延びる。より具体的には、ブリードポート１０４は流体キャビティ９６ｃに開放されるように位置し；ブリードポート１０６は流体キャビティ９６ｄに開放されるように位置する。
【００３６】
ブリードダクト１０２は、ライナー外表面５１に形成された内側に向け段のついた表面１０８により規定される。段付表面１０８は、開口部７８から第二実半径セクション８８に隣接するライナー５０の外表面へ延びる。ブリードダクト１０２の幅は、各ブリードポート１０４及び１０６の直径よりも相当広くなっている。本発明の図示されたバージョンでは、ブリードポート１０４が開口部７８の末端のブリードポート端部から離れて位置することがさらに理解されるべきである。
【００３７】
各ブリードポート１０４及び１０６の直径はポンプ２２を流れる流体の圧力、及びブリードポートが流体キャビティが気化状態の流体によって満たされる程度を減少させる流体キャビティ９６ｃないし９６ｂへの圧縮誘導ブリードフローの流路として用いられる程度により定まる。
【００３８】
より具体的には、各ブリードポート１０４及び１０６のサイズはポートが流体を通じて連通する流体キャビティの体積、液体の体積、ブリードポートを通じて流体キャビティに戻るべきブリードフロー、流体キャビティがブリードポートと流体を通じて連通する時間及びブリードポート間にわたる液体の圧力差により定まる。ブリードポートを介して戻る液体の体積は、流体キャビティ内の蒸気体積及びブリードポートからのブリードフローにさらされた時に流体キャビティ内の蒸気バブルが減少する程度により定まる。流体キャビティがブリードポートと流体を介して連通する時間はロータの回転数により定まる。
【００３９】
図６を参照するとわかるように、各羽根５８は略平坦矩形状の本体１１０を有するように描かれる。本体１１０の上端部は、ポンプ室５２を規定するライナー５０の内壁に当接する羽根５８のシール表面１１２を形成する。羽根５８は、さらに本体１１０と一体的に設けられ本体の長さにわたって延びるリブ１１４及び１１６を有する。
【００４０】
リブ１１４は本体の対向端部に位置し、幅方向に比較的狭くなっている。リブ１１６は本体１１０の中央部付近に位置し、比較的広い。各リブ１１４はシングルスロット１１８を規定するよう形成される。各リブ１１６はお互いに平行な二つのスロット１１９を規定するよう形成される。リブ１１４及び１１６の上部は羽根本体１１０のシール表面１１２に交わる斜めに切られた表面１１７を有して形成されることがさらにわかる。
【００４１】
本発明のポンプ２２は従来の吸引ポンプと略同様の方式で機能する。ロータ５４が回転すると、発生した遠心力により、羽根５８がスロット５６からライナー５０の内壁に対して付勢される。ポンプ室５２の形状のために、ロータ５４が回転すると、各流体キャビティ９６の体積は増加する。このサイズ増加により、ポンプ室５２への吸込ポートを規定する開口部６８及び７０に向けて回転するにつれて流体キャビティ中に低圧力フィールドが発生する。この低圧力フィールドは、このようにして貯蔵タンク２４から供給ライン２８、吸込ライン４０、及び吸込室３８を介してポンプ室５２に燃料を引き出す。
【００４２】
ロータ５４が回転し続けると、流体キャビティ及びその中に含まれる燃料は、ポンプ室５２の排出ポートを形成する開口部７８及び８０に向けて回転される。開口部７８及び８０から排出される燃料に圧力がかかっていることから、この燃料の大部分がケース本体の排出ボア６０を介して排出されることは明らかであろう。にもかかわらず、排出された燃料の一部は、図３の矢印１２０に示されるようにブリードダクト１０２を介して流れる。この流れがブリードフローである。
【００４３】
ポンプ室５２の吸込ポートに面した流体チェンバー(fluid chamber)で圧力が低下するために、図３の流体チェンバー９６ａ及び９６ｂ内の燃料は気化しやすい。流体チェンバーは、次いでライナー５０の第二の実半径セクション８８に面し、流体チェンバー９６ｃ及び９６ｄとなる。
【００４４】
回転の間、流体チェンバーがこの点に達すると、ブリードフロー燃料は、それぞれブリード開口部１０４及び１０６を介して、矢印１２２及び１２４に示されるようにチェンバーに押し出される。この燃料は流体チェンバー９６ｃ及び９６ｄ内の燃料の気化バブルを圧縮する。
【００４５】
この圧縮は蒸気バブルの全体サイズ及び数を減らすのに役立つ。ロータ５４が流体キャビティのサイズが減少する位置まで回転して流体キャビティ９６ｅ及び９６ｆとなると、蒸気バブルのサイズ及び数は相当程度減少する。従って、蒸気バブルの急速圧縮ないしポッピング(popping)をこのように最小限にすることで、吸引ポンプ２２によって発生する騒音量を最小限に抑えることに役立つ。
【００４６】
ブリードフローが失われないことがさらに認識されるべきである。このように、本発明のポンプ２２は流体がポンプから排出される速度に悪影響を及ぼすことなくキャビテーションにより誘導される騒音を抑える。したがって、必要に応じて吸い上げられる液体のキャビテーションにより誘導される騒音を高い割合で減らすために比較的広いブリードポートを設けても良い。
【００４７】
さらに、図７を参照してわかるように、吸引ポンプ２２に燃料が入ると、この燃料には圧力がかかっており、通常羽根５８が設けられるスロット５６内のスペースに流れ込む。矢印１２８及び１３０に示されるように、羽根と一体化したリブ１１４及び１１６の対向する端部は等しくかつ反対向きの加圧された流体ヘッドにさらされる。
【００４８】
これらの対向する力はお互いにキャンセルし合う。しかしながら、矢印１３２に示されるように、羽根５８の本体１１０の底面、すなわちシール表面１１２の反対面は対向する力によってキャンセルされない加圧された流体力にさらされる。したがって、この流体が発生した力が羽根５８を隣接するライナー５０の内壁に対して付勢する。この動作により、ポンプ２２の操作の間に羽根５８及びライナー５０間を比較的液体の漏れないように密閉するのが容易となる。
【００４９】
したがって、本発明の吸引ポンプ２２は、比較的少ない騒音量を発生するのに加えて、補助ライナー５０に対しその羽根を密閉するのに能率的な機構を有する。これにより、このポンプの全体的な能率を向上することができる。
【００５０】
上述の説明は本発明の好適な実施例のみに限定される。しかしながら、構造はこれまで説明され図示されてきたものと異なっても良いことは明らかである。
例えば、本発明の吸引ポンプは燃料分配装置２０に使用するように説明されてきたが、このポンプはその他の流体分配装置、特に高揮発性の液体を供給するのに用いられる装置に使用可能である。
【００５１】
このように本発明の吸引ポンプは溶剤供給装置、化学加工プラントないし石油加工プラントに使用可能である。一般的に、このポンプは液体が気化しやすい任意の液体供給装置に使用可能である。また、このポンプが分配装置としてのみ使用される必要がないことも同様に理解されるべきである。このポンプは、多くの工業及び化学加工施設に見られるような一つの格納容器から第二の格納容器に液体を供給する移送ポンプとして使用可能である。
【００５２】
また、上述の及び図示された本発明のバージョンでは、ポンプの吸込ポート及び排出ポートの間に位置する二つの流体キャビティがあるが、これは必ずしも必要ではない。本発明の他のバージョンでは、ポンプ室５２の流体移送セクション９５中に一つのみの流体キャビティがあっても良い。
【００５３】
さらに別の本発明のバージョンでは、吸込及び排出ポートの間の流体に３つ以上の流体キャビティがあってもよい。同様に、ポンプが有する羽根の数はポンプが形成するようデザインされる流体キャビティの数により定まることが認識されるべきである。最も少ない場合、４枚の羽根が必要である。本発明の多くの好適なバージョンでは、ポンプは８枚の羽根を有することが期待される。本発明のその他のバージョンでは、ポンプは１２枚ないしそれ以上の羽根を有しても良い。
【００５４】
さらに、本発明の吸引ポンプは偏心形状を有するポンプ室を必ずしも有する必要はない。本発明のいくつかのバージョンでは、ポンプ室の軸に対し、ロータの軸が偏っていてもよい。
同様に、各流体キャビティに一つのみのブリードポートがある必要もない。本発明のいくつかのバージョンでは、流体キャビティにつき、二つまたはそれ以上のブリードポートがあっても良い。また、ブリードポートは、必ずしも円形形状を有する必要はない。
【００５５】
同様に、本発明のいくつかのバージョンでは、異なる流体キャビティに開口するブリードポートは異なる断面積を有していても良い。このように寸法を決めることは、ポンプ室を介して回転する時に個々の流体キャビティに異なる圧縮圧を発生させるのに好ましい。また、流体キャビティに異なる圧力ヘッドを生じさせるために、そこから加圧された流体が流体キャビティに戻るブリードダクトの幅を変えるのが望ましい。
【００５６】
本発明のその他のバージョンでは、ライナーをなくしてポンプケースの内壁によりポンプ室を規定することも可能である。本発明のこのバージョンでは、ブリードダクト及びブリードポートはポンプケースに直接形成可能である。あるいは、本発明のいくつかのバージョンでは、ブリードダクト及びブリードポートはポンプケースを覆って設けられる面板上の全体または一部に形成することもできる。
【００５７】
また、本発明のいくつかのバージョンでは、ブリードダクト１０２中で、ブリードフローがブリードダクトに入る位置と下流のブリードポート１０４及び１０６との間にフロー規制部材を設けても良い。この部材によりブリードポートへのブリードフローの流速が減少する。流体キャビティへのブリードフローの流速を減らすことにより考えられる利点は、ブリードフローが流体キャビティのキャビテーションを減らす能力に重大な悪影響を及ぼすことなくブリードフロー自体により発生する騒音を減らすことである。
【００５８】
加えて、本発明のいくつかのバージョンでは、このフロー規制部材は各流体キャビティへの体積の異なるブリードフローが生じるようにブリードフローを指向させるように配されても良い。例えば、吸込ポートに最も近いキャビティである流体キャビティ９６ｃよりも、排出ポートに最も近いキャビティである流体キャビティ９６ｄに、より多くのブリードフローを向けるようにすることも可能である。
【００５９】
本発明のいくつかのバージョンでは、これらのフロー規制部材はブリードダクト１０２に延びブリードフローが通過する開口部を有する壁の形状を有しても良い。これらの開口部は必ずしも円形開口部である必要はない。ポンプが上述のライナー５０を有する本発明のバージョンでは、これらの壁はライナーの一部として一体的に形成可能である。たとえば、流体キャビティ９６ｃへのブリードフローの量を流体キャビティ９６ｄに比較して減らしたい場合には、この壁はブリードポート１０４と１０６との間のブリードダクト１０２に延びるよう配置可能である。明らかなことだが、複数のフロー規制部材はブリードダクト全体を通じて離れた位置に設けられても良い。
【００６０】
さらに認識されるべきなのは、個々のキャビティに異なるサイズの開口部を有するブリードポートを設けることによって個々の流体キャビティ９６ｃ及び９６ｄに戻るブリードフローの液体量を変えることができることである。
【００６１】
したがって、本発明の真の精神及び範囲内に属するこのような変形及び変更の全てをカバーすることが添付クレームの目的である。
【図面の簡単な説明】
【図１】  本発明の吸引ポンプを使用する分配装置の概略図である。
【図２】  前記吸引ポンプの等測投影図(isometric view)である。
【図３】  前記吸引ポンプを形成するライナー、ポンプロータ及び羽根の平面図である。
【図４】  前記ライナーに設けられた吸込口を示す側面図である。
【図５】  本発明にかかるポンプの前記ライナーの斜視図である。
【図６】  前記ポンプ内部の羽根の分解図である。
【図７】  前記ポンプの操作中に羽根に作用する流体の力を示す側面図である。
【図１】
0004143261.tif 000002
【図２】
0004143261.tif 000003
【図３】
0004143261.tif 000004
【図４】
0004143261.tif 000005
【図５】
0004143261.tif 000006
【図６】
0004143261.tif 000007
【図７】
0004143261.tif 000008